(57)【特許請求の範囲】
【請求項１】
室内に光強度に影響される対象電気機器が作動していることが検出された場合に、前記対象電気機器が作動する時の目標光強度値要求を取得するステップと、
室内光強度値を採取するステップと、
前記室内光強度値と前記目標光強度値要求とに基づいて、室内の光強度を変更するための前記室内における光強度調整装置を調整して、前記室内光強度値が前記目標光強度値要求を満たすようにするステップと、を含む室内光強度調整方法であって、
室内に光強度に影響される対象電気機器が作動していることが検出された場合に、前記対象電気機器が作動する時の目標光強度値要求を取得する前記ステップは、
室内で作動している電気機器を取得するステップと、
前記室内で作動している電気機器の中に、電気機器候補と前記電気機器候補が作動する時に必要とされる目標光強度値要求とのマッピング関係が含まれる対象調整テーブル中の前記電気機器候補と同一の電気機器が存在することが検出された場合に、前記室内で作動している電気機器のうち、対象調整テーブル中の電気機器候補と同一の電気機器が前記対象電気機器であると決定するステップと、
前記対象調整テーブルから、前記対象電気機器に対応する目標光強度値要求を取得するステップと、
を含む、
ことを特徴とする室内光強度調整方法。
【請求項２】
前記光強度調整装置は、カーテンを含み、
前記室内光強度値と前記目標光強度値要求とに基づいて、前記室内における光強度調整装置を調整するステップは、
前記室内光強度値が前記目標光強度値より大きいか否かを検出するステップと、
前記室内光強度値が前記目標光強度値より大きいことが検出された場合に、前記カーテンを所定の規則に従って閉じるように制御するステップと、
前記カーテンを閉じる過程において、調整された室内光強度値を検出し、調整された室内光強度値が前記目標光強度値要求を満たすことが検出された場合に、前記カーテンが現在の状態を維持するように制御するステップと、を含み、
前記目標光強度値要求を満たすとは、調整された室内光強度値が前記目標光強度値要求より大きくないことである、
ことを特徴とする請求項１に記載の方法。
【請求項３】
前記室内光強度値が前記目標光強度値より小さいことが検出された場合に、室内のカーテンを所定の規則に従って開くように制御するステップと、
前記カーテンを開く過程において、調整された室内光強度値を検出し、調整された室内光強度値が前記目標光強度値要求を満たすことが検出された場合に、前記カーテンが現在の状態を維持するように制御するステップと、をさらに含み、
前記目標光強度値要求を満たすとは、調整された室内光強度値が前記目標光強度値要求より小さくないことである、
ことを特徴とする請求項２に記載の方法。
【請求項４】
光強度に影響される少なくとも１つの電気機器と各電気機器に対応する目標光強度値要求とが含まれる所定の調整テーブルを取得するステップと、
室内の全ての電気機器を取得するステップと、
前記全ての電気機器のうち、前記所定の調整テーブルに含まれる電気機器候補を検出するステップと、
前記電気機器候補と前記所定の調整テーブルとに基づいて、対象調整テーブルを取得するステップと、
をさらに含む、
ことを特徴とする請求項１に記載の方法。
【請求項５】
室内に光強度に影響される対象電気機器が作動しているか否かを検出する検出モジュールと、
前記検出モジュールにより室内に光強度に影響される対象電気機器が作動していることが検出された場合に、前記対象電気機器が作動する時の目標光強度値要求を取得する第１の取得モジュールと、
室内光強度値を採取する採取モジュールと、
前記採取モジュールによって採取された前記室内光強度値と前記第１の取得モジュールによって取得された前記目標光強度値要求とに基づいて、室内の光強度を変更するための前記室内における光強度調整装置を調整して、前記室内光強度値が前記目標光強度値要求を満たすようにする調整モジュールと、
を含む室内光強度調整装置であって、
前記検出モジュールは、第１の取得サブモジュールと第４の検出サブモジュールとを含み、前記第１の取得モジュールは、決定サブモジュールと第２の取得サブモジュールとを含み、
前記第１の取得サブモジュールは、室内で作動している電気機器を取得し、
前記第４の検出サブモジュールは、前記第１の取得サブモジュールによって取得された前記室内で作動している電気機器の中に、対象調整テーブル中の電気機器候補と同一の電気機器が存在するか否かを検出し、
前記決定サブモジュールは、第４の検出サブモジュールにより前記室内で作動している電気機器の中に、対象調整テーブル中の電気機器候補と同一の電気機器が存在することが検出された場合に、前記室内で作動している電気機器のうち、対象調整テーブル中の電気機器候補と同一の電気機器が前記対象電気機器であると決定し、前記対象調整テーブルには、前記電気機器候補と前記電気機器候補が作動する時に必要とされる目標光強度値要求とのマッピング関係が含まれ、
前記第２の取得サブモジュールは、前記対象調整テーブルから、前記決定サブモジュールによって決定された前記対象電気機器に対応する目標光強度値要求を取得する、
ことを特徴とする室内光強度調整装置。
【請求項６】
前記光強度調整装置は、カーテンを含み、前記調整モジュールは、第１の検出サブモジュールと、第１の制御サブモジュールと、第２の検出サブモジュールと、第２の制御サブモジュールと、を含み、
前記第１の検出サブモジュールは、前記採取モジュールによって採取された前記室内光強度値が前記目標光強度値より大きいか否かを検出し、
前記第１の制御サブモジュールは、前記第１の検出サブモジュールにより前記室内光強度値が前記目標光強度値より大きいことが検出された場合に、前記カーテンを所定の規則に従って閉じるように制御し、
前記第２の検出サブモジュールは、前記カーテンを閉じる過程において、調整された室内光強度値を検出し、
前記第２の制御サブモジュールは、前記第２の検出サブモジュールにより調整された室内光強度値が前記目標光強度値要求を満たすことが検出された場合に、前記カーテンが現在の状態を維持するように制御し、前記目標光強度値要求を満たすとは、調整された室内光強度値が前記目標光強度値要求より大きくないことである、
ことを特徴とする請求項５に記載の装置。
【請求項７】
前記調整モジュールは、第３の制御サブモジュールと、第３の検出サブモジュールと、第４の制御サブモジュールと、をさらに含み、
前記第３の制御サブモジュールは、前記第１の検出サブモジュールにより前記室内光強度値が前記目標光強度値より小さいことが検出された場合に、室内のカーテンを所定の規則に従って開くように制御し、
前記第３の検出サブモジュールは、前記カーテンを開く過程において、調整された室内光強度値を検出し、
前記第４の制御サブモジュールは、前記第３の検出サブモジュールにより調整された室内光強度値が前記目標光強度値要求を満たすことが検出された場合に、前記カーテンが現在の状態を維持するように制御し、前記目標光強度値要求を満たすとは、調整された室内光強度値が前記目標光強度値要求より小さくないことである、
ことを特徴とする請求項６に記載の装置。
【請求項８】
前記検出モジュールは、第３の取得サブモジュールと、第４の取得サブモジュールと、第５の検出サブモジュールと、第５の取得サブモジュールと、をさらに含み、
前記第３の取得サブモジュールは、光強度に影響される少なくとも１つの電気機器と各電気機器に対応する目標光強度値要求とが含まれる所定の調整テーブルを取得し、
前記第４の取得サブモジュールは、室内の全ての電気機器を取得し、
前記第５の検出サブモジュールは、前記第４の取得サブモジュールによって取得された前記全ての電気機器のうち、前記第３の取得サブモジュールによって取得された前記所定の調整テーブルに含まれる電気機器候補を検出し、
前記第５の取得サブモジュールは、前記第５の検出サブモジュールによって取得された前記電気機器候補と、前記第３の取得サブモジュールによって取得された前記所定の調整テーブルとに基づいて、対象調整テーブルを取得する、
ことを特徴とする請求項５に記載の装置。
【請求項９】
プロセッサと、
プロセッサが実行可能な命令を記憶するメモリと、を含む室内光強度調整装置であって、
前記プロセッサは、
室内に光強度に影響される対象電気機器が作動していることが検出された場合に、前記対象電気機器が作動する時の目標光強度値要求を取得し、
室内光強度値を採取し、
前記室内光強度値と前記目標光強度値要求とに基づいて、室内の光強度を変更するための前記室内における光強度調整装置を調整して、前記室内光強度値が前記目標光強度値要求を満たすようにするように構成され、
室内に光強度に影響される対象電気機器が作動していることが検出された場合に、前記対象電気機器が作動する時の目標光強度値要求を取得することは、
室内で作動している電気機器を取得することと、
前記室内で作動している電気機器の中に、電気機器候補と前記電気機器候補が作動する時に必要とされる目標光強度値要求とのマッピング関係が含まれる対象調整テーブル中の前記電気機器候補と同一の電気機器が存在することが検出された場合に、前記室内で作動している電気機器のうち、対象調整テーブル中の電気機器候補と同一の電気機器が前記対象電気機器であると決定することと、
前記対象調整テーブルから、前記対象電気機器に対応する目標光強度値要求を取得することと、
を含む、
ことを特徴とする室内光強度調整装置。
【請求項１０】
コンピュータ命令が記憶されるコンピュータ読み取り可能な記憶媒体であって、該コンピュータ命令がプロセッサによって実行される場合に、
室内に光強度に影響される対象電気機器が作動していることが検出された場合に、前記対象電気機器が作動する時の目標光強度値要求を取得するステップと、
室内光強度値を採取するステップと、
前記室内光強度値と前記目標光強度値要求とに基づいて、室内の光強度を変更するための前記室内における光強度調整装置を調整して、前記室内光強度値が前記目標光強度値要求を満たすようにするステップと、が実現され、
室内に光強度に影響される対象電気機器が作動していることが検出された場合に、前記対象電気機器が作動する時の目標光強度値要求を取得する前記ステップは、
室内で作動している電気機器を取得するステップと、
前記室内で作動している電気機器の中に、電気機器候補と前記電気機器候補が作動する時に必要とされる目標光強度値要求とのマッピング関係が含まれる対象調整テーブル中の前記電気機器候補と同一の電気機器が存在することが検出された場合に、前記室内で作動している電気機器のうち、対象調整テーブル中の電気機器候補と同一の電気機器が前記対象電気機器であると決定するステップと、
前記対象調整テーブルから、前記対象電気機器に対応する目標光強度値要求を取得するステップと、
を含む、
ことを特徴とするコンピュータ読み取り可能な記憶媒体。
【発明の詳細な説明】
【技術分野】
【０００１】
本開示は、自動制御技術分野に関し、特に室内光強度調整方法および装置に関する。
【背景技術】
【０００２】
ユーザが電気機器の表示装置に表示された画像を見る際に、光強度に対する表示装置の受光能力が異なっているため、より良い視認効果を得るために、ユーザは、現在の電気機器に基づいて、カーテンを調整して室内光強度を制御する。例えば、ユーザが液晶テレビを見る場合に、液晶テレビの自発光輝度が高いため、光強度に対する要求が高くなく、この場合、ユーザがカーテンを調整する必要がないが、ユーザが投影装置を見る場合に、低い光強度を必要とするため、ユーザは、カーテンを閉める必要がある。
【発明の概要】
【発明が解決しようとする課題】
【０００３】
従来技術における技術的課題を解決するために、本開示の実施例は、室内光強度調整方法及び装置を提供する。
【課題を解決するための手段】
【０００４】
本開示の実施例の第１側面によれば、
室内に光強度に影響される対象電気機器が作動していることが検出された場合に、前記対象電気機器が作動する時の目標光強度値要求を取得するステップと、
室内光強度値を採取するステップと、
前記室内光強度値と前記目標光強度値要求とに基づいて、室内の光強度を変更するための前記室内における光強度調整装置を調整して、前記室内光強度値が前記目標光強度値要求を満たすようにするステップと、を含む室内光強度調整方法を提供する。
【０００５】
本開示の実施例が提供する技術案は、以下のような有益な効果を含むことができる。室内に光強度に影響される対象電気機器が作動していることが検出された場合に、対象電気機器が作動する時の目標光強度値要求を取得し、室内光強度値を採取し、室内光強度値と目標光強度値要求とに基づいて、室内の光強度を変更するための室内における光強度調整装置を調整して、室内光強度値が目標光強度値要求を満たすようにする。ここで、取得された目標光強度値要求と採取された室内光強度値とに基づいて、室内における光強度調整装置を自動的に調整して、室内光強度値が目標光強度値要求を満たすようにし、電気機器の映像視認効果を有効的に向上させることができる。
【０００６】
一実施例において、前記光強度調整装置は、カーテンを含み、前記室内光強度値と前記目標光強度値要求とに基づいて、室内における光強度調整装置を調整するステップは、
前記室内光強度値が前記目標光強度値より大きいか否かを検出するステップと、
前記室内光強度値が前記目標光強度値より大きいことが検出された場合に、前記カーテンを所定の規則に従って閉じるように制御するステップと、
前記カーテンを閉じる過程において、調整された室内光強度値を検出し、調整された室内光強度値が前記目標光強度値要求を満たすことが検出された場合に、前記カーテンが現在の状態を維持するように制御するステップと、を含み、前記目標光強度値要求を満たすとは、調整された室内光強度値が前記目標光強度値要求より大きくないことである。
【０００７】
一実施例において、前記方法は、
前記室内光強度値が前記目標光強度値より小さいことが検出された場合に、室内のカーテンを所定の規則に従って開くように制御するステップと、
前記カーテンを開く過程において、調整された室内光強度値を検出し、調整された室内光強度値が前記目標光強度値要求を満たすことが検出された場合に、前記カーテンが現在の状態を維持するように制御するステップと、をさらに含み、前記目標光強度値要求を満たすとは、調整された室内光強度値が前記目標光強度値要求より小さくないことである。
【０００８】
一実施例において、室内に光強度に影響される対象電気機器が作動していることが検出された場合に、前記対象電気機器が作動する時の目標光強度値要求を取得するステップは、
室内で作動している電気機器を取得するステップと、
前記室内で作動している電気機器の中に、電気機器候補と前記電気機器候補が作動する時に必要とされる目標光強度値要求とのマッピング関係が含まれる対象調整テーブル中の前記電気機器候補と同一の電気機器が存在することが検出された場合に、前記室内で作動している電気機器のうち、対象調整テーブル中の電気機器候補と同一の電気機器が前記対象電気機器であると決定するステップと、
前記対象調整テーブルから、前記対象電気機器に対応する目標光強度値要求を取得するステップと、を含む。
【０００９】
一実施例において、前記方法は、
光強度に影響される全ての電気機器と各電気機器に対応する目標光強度値要求とが含まれる所定の調整テーブルを取得するステップと、
室内の全ての電気機器を取得するステップと、
前記全ての電気機器のうち、前記所定の調整テーブルに含まれる電気機器候補を検出するステップと、
前記電気機器候補と前記所定の調整テーブルとに基づいて、対象調整テーブルを取得するステップと、をさらに含む。
【００１０】
本開示の実施例の第２の側面によれば、
室内に光強度に影響される対象電気機器が作動しているか否かを検出する検出モジュールと、
前記検出モジュールにより室内に光強度に影響される対象電気機器が作動していることが検出された場合に、前記対象電気機器が作動する時の目標光強度値要求を取得する第１の取得モジュールと、
室内光強度値を採取する採取モジュールと、
前記採取モジュールによって採取された前記室内光強度値と前記第１の取得モジュールによって取得された前記目標光強度値要求とに基づいて、前記室内の光強度を変更するための前記室内における光強度調整装置を調整して、前記室内光強度値が前記目標光強度値要求を満たすようにする調整モジュールと、
を含む室内光強度調整装置を提供する。
【００１１】
一実施例において、前記光強度調整装置は、カーテンを含み、前記調整モジュールは、第１の検出サブモジュールと、第１の制御サブモジュールと、第２の検出サブモジュールと、第２の制御サブモジュールと、を含み、
前記第１の検出サブモジュールは、前記採取モジュールによって採取された前記室内光強度値が前記目標光強度値より大きいか否かを検出し、
前記第１の制御サブモジュールは、前記第１の検出サブモジュールにより前記室内光強度値が前記目標光強度値より大きいことが検出された場合に、前記カーテンを所定の規則に従って閉じるように制御し、
前記第２の検出サブモジュールは、前記カーテンを閉じる過程において、調整された室内光強度値を検出し、
前記第２の制御サブモジュールは、前記第２の検出サブモジュールにより調整された室内光強度値が前記目標光強度値要求を満たすことが検出された場合に、前記カーテンが現在の状態を維持するように制御し、前記目標光強度値要求を満たすとは、調整された室内光強度値が前記目標光強度値要求より大きくないことである。
【００１２】
一実施例において、前記調整モジュールは、第３の制御サブモジュールと、第３の検出サブモジュールと、第４の制御サブモジュールと、をさらに含み、
前記第３の制御サブモジュールは、前記第１の検出サブモジュールにより前記室内光強度値が前記目標光強度値より小さいことが検出された場合に、室内のカーテンを所定の規則に従って開くように制御し、
前記第３の検出サブモジュールは、前記カーテンを開く過程において、調整された室内光強度値を検出し、
前記第４の制御サブモジュールは、前記第３の検出サブモジュールにより調整された室内光強度値が前記目標光強度値要求を満たすことが検出された場合に、前記カーテンが現在の状態を維持するように制御し、前記目標光強度値要求を満たすとは、調整された室内光強度値が前記目標光強度値要求より小さくないことである。
【００１３】
一実施例において、前記検出モジュールは、第１の取得サブモジュールと第４の検出サブモジュールとを含み、前記第１の取得モジュールは、決定サブモジュールと第２の取得サブモジュールとを含み、
前記第１の取得サブモジュールは、室内で作動している電気機器を取得し、
前記第４の検出サブモジュールは、前記第１の取得サブモジュールによって取得された前記室内で作動している電気機器の中に、対象調整テーブル中の電気機器候補と同一の電気機器が存在するか否かを検出し、
前記決定サブモジュールは、第４の検出サブモジュールにより前記室内で作動している電気機器の中に、対象調整テーブル中の電気機器候補と同一の電気機器が存在することが検出された場合に、前記室内で作動している電気機器のうち、対象調整テーブル中の電気機器候補と同一の電気機器が前記対象電気機器であると決定し、前記対象調整テーブルには、前記電気機器候補と前記電気機器候補が作動する時に必要とされる目標光強度値要求とのマッピング関係が含まれ、
前記第２の取得サブモジュールは、前記対象調整テーブルから、前記決定サブモジュールによって決定された前記対象電気機器に対応する目標光強度値要求を取得する。
【００１４】
一実施例において、前記検出モジュールは、第３の取得サブモジュールと、第４の取得サブモジュールと、第５の検出サブモジュールと、第５の取得サブモジュールと、をさらに含み、
前記第３の取得サブモジュールは、光強度に影響される全ての電気機器と各電気機器に対応する目標光強度値要求とが含まれる所定の調整テーブルを取得し、
前記第４の取得サブモジュールは、室内の全ての電気機器を取得し、
前記第５の検出サブモジュールは、前記第４の取得サブモジュールによって取得された前記全ての電気機器のうち、前記第３の取得サブモジュールによって取得された前記所定の調整テーブルに含まれる電気機器候補を検出し、
前記第５の取得サブモジュールは、前記第５の検出サブモジュールによって取得された前記電気機器候補と、前記第３の取得サブモジュールによって取得された前記所定の調整テーブルとに基づいて、対象調整テーブルを取得する。
【００１５】
本開示の実施例的第３の側面によれば、室内光強度調整装置を提供し、該室内光強度調整装置は、
プロセッサと、
プロセッサが実行可能な命令を記憶するメモリと、を含み、
ここで、プロセッサは、
室内に光強度に影響される対象電気機器が作動していることが検出された場合に、前記対象電気機器が作動する時の目標光強度値要求を取得し、
室内光強度値を採取し、
前記室内光強度値と前記目標光強度値要求とに基づいて、室内の光強度を変更するため前記の室内における光強度調整装置を調整して、前記室内光強度値が前記目標光強度値要求を満たすようにするように構成される。
【００１６】
本開示の実施例的第４の側面によれば、コンピュータ命令が記憶されるコンピュータ読み取り可能な記憶媒体を提供し、該コンピュータ命令がプロセッサに実行される場合に、
室内に光強度に影響される対象電気機器が作動していることが検出された場合に、前記対象電気機器が作動する時の目標光強度値要求を取得するステップと、
室内光強度値を採取するステップと、
前記室内光強度値と前記目標光強度値要求とに基づいて、室内の光強度を変更するための前記室内における光強度調整装置を調整して、前記室内光強度値が前記目標光強度値要求を満たすようにするステップと、が実現される。
【００１７】
なお、以上の一般的な説明及び以下の詳細な説明は、単に例示及び解釈するためのものであり、本開示を限定するものではない。
【図面の簡単な説明】
【００１８】
ここの図面は、本明細書に組み込まれて本明細書の一部を構成し、本開示の実施例を示しており、説明と共に、本開示の原理を説明する。
【図１】例示的な一実施例による本開示の方法が適用されることを示した場面図である。
【図２】例示的な実施例１による室内光強度調整方法を示すフローチャートである。
【図３】例示的な実施例１によるカーテンを示す概略図である。
【図４】例示的な実施例１によるカーテンを示す概略図である。
【図５】例示的な実施例１によるカーテンを示す概略図である。
【図６】例示的な実施例２による室内光強度調整方法を示すフローチャートである。
【図７】例示的な実施例１による室内光強度調整装置を示すブロック図である。
【図８】例示的な実施例１による室内光強度調整装置における調整モジュール１４を示すブロック図である。
【図９】例示的な実施例２による室内光強度調整装置における調整モジュール１４を示すブロック図である。
【図１０】例示的な実施例２による室内光強度調整装置を示すブロック図である。
【図１１】例示的な一実施例による室内光強度調整装置における検出モジュール１１を示すブロック図である。
【図１２】例示的な一実施例による室内光強度調整装置８０を示すブロック図である。
【発明を実施するための形態】
【００１９】
ここで例示的な実施例を詳細に説明し、その例が添付図面に示される。以下の説明が図面に係る場合に、他の示しがない限り、異なる図面における同一の番号が、同一又は類似の要素を示す。以下の例示的な実施例に記載される実施形態は、本開示と一致する全ての実施形態を表すものではない。むしろそれらは、単に特許請求の範囲に詳述されているような、本開示の一部の側面と一致する装置及び方法の例である。
【００２０】
実際の生活では、異なる電気機器における光強度に対する要求は異なる。図１に示すように、室内に光強度に影響される対象電気機器が、テレビであり、ユーザがテレビを見ている際に、室内光強度値がテレビの光強度に対する要求を満たさなければ、ユーザは、カーテンの開閉状態を手動で調整する必要がある。しかし、ユーザが手動で操作することは、手間がかかり、ユーザの体験が悪く、しかもユーザが経験に応じてカーテンの開閉状態を調整するため、室内光強度値は、映像視認の最適効果に達することができない。
【００２１】
上記技術的課題を解決するために、図１に示す場面図に基づいて、本開示の実施例は、室内光強度調整方法を提供する。図２に示すように、前記方法は、
室内に光強度に影響される対象電気機器が作動していることが検出された場合に、対象電気機器が作動する時の目標光強度値要求を取得するステップＳ１０１と、
室内光強度値を採取するステップＳ１０２と、
室内光強度値と目標光強度値要求とに基づいて、室内の光強度を変更するための前記室内における光強度調整装置を調整して、室内光強度値が目標光強度値要求を満たすようにするステップＳ１０３と、を含む。
【００２２】
室内における各電気機器は、それぞれの最適な目標光強度値要求があり、つまり、該目標光強度値要求が満たされた状態で、電気機器の映像視認効果が最適である。
【００２３】
室内に光強度に影響される対象電気機器が作動していることが検出された場合に、より良い映像視認効果を奏するために、対象電気機器が作動する時の目標光強度値要求を取得し、室内光強度値を採取し、室内光強度値と目標光強度値とに基づいて、室内における光強度調整装置を調整する。ここで、光強度調整装置は、室内の光強度を変更して、室内光強度値が目標光強度値要求を満たすようにすることにより、より良い映像視認効果を奏する。
【００２４】
例示的には、上記室内光強度値は、光強度センサによって取得されてもよい。上記ステップＳ１０１とステップＳ１０３は、コントローラによって実行されてもよい。
【００２５】
光強度調整装置は、室内照明装置、カーテン又は窓などを含むが、これらに限定されない。室内光強度値は、室外から室内に照射された光の光強度値、室内照明装置の光強度値、及び他の発光装置の光強度値のうち少なくとも１つを含むことができるが、本開示は、それに対して限定しない。
【００２６】
例示的には、光強度調整装置が窓である場合に、上記調整ステップは、室内光強度値と目標光強度値要求とに基づいて、窓の透光率を調整して、室内光強度値が目標光強度値要求を満たすようにするステップとして実施されてもよい。
【００２７】
本開示の実施例が提供する技術案は、以下のような有益な効果を含むことができる。室内に光強度に影響される対象電気機器が作動していることが検出された場合に、対象電気機器が作動する時の目標光強度値要求を取得し、室内光強度値を採取し、室内光強度値と目標光強度値要求とに基づいて、室内の光強度を変更するための室内における光強度調整装置を調整して、室内光強度値が目標光強度値要求を満たすようにする。ここで、取得された目標光強度値要求と採取された室内光強度値とに基づいて、室内における光強度調整装置を自動的に調整して、室内光強度値が目標光強度値要求を満たすようにし、電気機器の映像視認効果を有効的に向上させることができる。
【００２８】
光強度調整装置がカーテンを含む場合に、上記ステップＳ１０３は、
室内光強度値が目標光強度値より大きいか否かを検出するステップａ１と、
室内光強度値が目標光強度値より大きいことが検出された場合に、カーテンを所定の規則に従って閉じるように制御するステップａ２と、
カーテンを閉じる過程において、調整された室内光強度値を検出し、調整された室内光強度値が目標光強度値要求を満たすことが検出された場合に、カーテンが現在の状態を維持するように制御するステップａ３とを含んでもよい。ここで、前記目標光強度値要求を満たすとは、調整された室内光強度値が前記目標光強度値要求より大きくないことである。
【００２９】
カーテンを調整する過程において、室内光強度値と目標光強度値との大きさ関係を検出する。これは、異なる大きさ関係に対応する調整策略も異なる可能性があるからである。室内光強度値が目標光強度値より大きいことが検出された場合に、遮光する必要がある。そのため、カーテンを所定の規則に従って閉じるように制御する。カーテンを閉じる過程において、調整された室内光強度値をリアルタイムに検出し、室内光強度値が目標光強度値より大きくないことが検出された場合に、カーテンが現在の状態を維持するように制御する。
【００３０】
当然ながら、実際の使用では、まず、カーテンがどんな閉状態にある場合に室内光強度値が目標光強度値要求を満たすのかを算出し、そして直接にカーテンを上記閉状態に従って閉じるように制御することも可能である。
【００３１】
ここで、カーテンの種類は、図３に示したカーテン、図４に示したカーテン、図５に示したカーテン、及び他のタイプのカーテンを含むが、これらに限定されない。本開示は、カーテンのタイプを限定しない。
【００３２】
カーテンを所定の規則に従って閉じるように制御することは、図３のカーテンを例とし、カーテンを所定の閉じる速度で右へ閉じるように制御する方式と、図４のカーテンを例とし、カーテンにおける二枚のカーテン布を所定の閉じる速度で真ん中へ閉じるように制御する方式と、まずカーテンにおける左のカーテン布を所定の閉じる速度で右へ閉じるように制御し、続いてカーテンにおける右のカーテン布を所定の閉じる速度で左へ閉じるように制御する方式と、図５に示したカーテンを例とし、カーテンを所定の閉じる速度で上から下への順で各ブラインドを閉じるように制御し、又は、カーテンを所定の閉じる速度でカーテン体などを下ろすように制御する方式とを含んでもよいが、これらに限定されない。なお、本開示は、カーテンの閉じる方式を限定しない。
【００３３】
例示的には、上記ステップａ１〜ａ３は、同様に上記コントローラによって実行されてもよい。当然ながら、カーテン自身のプロセッサによりカーテンを閉じるように制御してもよい。本開示は、これを限定しない。
【００３４】
本開示の実施例が提供する技術案は、以下のような有益な効果を含むことができる。室内光強度値と目標光強度値要求とに基づいて、カーテンの開閉状態を決定することにより、室内光強度値が目標光強度値要求を満たすように効果的に調整することができる。
【００３５】
一実施例において、光強度調整装置が室内照明装置をさらに含む場合に、上記ステップａ３は、以下のステップのように実施されてもよい。
カーテンを閉じる過程において、調整された室内光強度値を検出し、カーテンが完全閉状態にある場合に、室内光強度値が依然として目標光強度値要求を満たしていないことが検出されると、室内照明装置の照明パラメータを調整して、調整された室内光強度値が目標光強度値要求を満たすようにする。
【００３６】
カーテンを完全な閉状態にした後、室内光強度値が依然として目標光強度値より大きい可能性があり、この場合、室内における室内照明装置の照明パラメータをさらに調整することができる。例示的には、室内照明装置の発光輝度を低減させることにより、室内光強度値を目標光強度値にすることができる。
【００３７】
上記室内照明装置の照明パラメータを調整することは、所定の調整速度で室内照明装置の発光輝度を低減させ、低減させる過程において、室内光強度値をリアルタイムに検出し、室内光強度値が目標光強度値であることが検出された場合に、室内照明装置の発光輝度が現在の輝度であるように制御することができることと、室内光強度値と目標光強度値とに基づいて、室内照明装置の発光輝度の調整値を決定し、直接に該調整値に基づいて室内照明装置の発光輝度を調整して、室内光強度値を目標光強度値にすることができることとを含む。
【００３８】
本開示の実施例が提供する技術案は、以下のような有益な効果を含むことができる。カーテンを完全に閉じた後、室内光強度値が依然として目標光強度値要求を満たしていない場合に、さらに室内照明装置の発光輝度を調整することにより、室内光強度値が目標光強度値要求を満たすように効果的に調整することができる。
【００３９】
一実施例において、上記方法は、
室内光強度値が目標光強度値より小さいことが検出された場合に、室内のカーテンを所定の規則に従って開くように制御するステップｂ１と、
カーテンを開く過程において、調整された室内光強度値を検出し、調整された室内光強度値が目標光強度値要求を満たすことが検出された場合に、カーテンが現在の状態を維持するように制御するステップｂ２と、を含む。ここで、目標光強度値要求を満たすとは、調整された室内光強度値が目標光強度値要求より小さくないことである。
【００４０】
室内光強度値が目標光強度値より小さいことが検出された場合に、カーテンを開けて室内光強度値を高める必要があるため、カーテンを所定の規則に従って開くように制御する。カーテンを開く過程において、調整された室内光強度値をリアルタイムに検出し、室内光強度値が目標光強度値より小さくないことが検出された場合に、カーテンが現在の状態を維持するように制御する。
【００４１】
当然ながら、実際の使用では、まず、カーテンがどのような閉状態にある場合に室内光強度値が目標光強度値要求を満たすのかを算出し、そして直接にカーテンを上記閉状態に従って閉じるように制御してもよい。
【００４２】
例示的には、上記ステップｂ１とステップｂ２とは、同様に上記コントローラによって実行することができる。当然ながら、カーテン自身のプロセッサにより、カーテンを閉じるように制御してもよい。本開示は、これを限定しない。
【００４３】
ここで、カーテンの種類は、図３に示したカーテン、図４に示したカーテン、図５に示したカーテン、及び他のタイプのカーテンを含むが、これらに限定されない。本開示は、カーテンのタイプを限定しない。
【００４４】
カーテンを所定の規則に従って閉じるように制御することは、図３のカーテンを例とし、カーテンを所定の閉じる速度で右へ閉じるように制御する方式と、図４のカーテンを例とし、カーテンにおける二枚のカーテン布を所定の閉じる速度で真ん中へ閉じるように制御する方式と、まず、カーテンにおける左のカーテン布を所定の閉じる速度で右へ閉じるように制御し、次に、カーテンにおける右のカーテン布を所定の閉じる速度で左へ閉じるように制御する方式と、図５に示したカーテンを例とし、カーテンを所定の閉じる速度で上から下への順で各ブラインドを閉じるように制御し、又は、カーテンを所定の閉じる速度でカーテン体などを下ろすように制御する方式とを含んでもよいが、これらに限定されない。なお、本開示は、カーテンの閉じる方式を限定しない。
【００４５】
本開示の実施例が提供する技術案は、以下のような有益な効果を含むことができる。室内光強度値と目標光強度値要求とに基づいて、カーテンの開閉状態を決定することにより、室内光強度値が目標光強度値要求を満たすように効果的に調整することができる。
【００４６】
好ましくは、上記各実施例において、目標光強度値要求を満たすとは、調整された室内光強度値が目標光強度値要求と等しいことである。
【００４７】
一実施例において、光強度調整装置は、室内照明装置をさらに含み、上記ステップｂ２は、
カーテンを開く過程において、調整された室内光強度値を検出し、カーテンが完全な開状態にある場合に、調整された室内光強度値が目標光強度値より小さいことが検出されると、室内照明装置の照明パラメータを調整して、調整された室内光強度値が目標光強度値要求を満たすようにするステップとして実施されてもよい。
【００４８】
カーテンを完全な開状態にした後、室内光強度値が依然として目標光強度値より小さい可能性があり、この場合、さらに室内における室内照明装置の照明パラメータを調整することができる。例示的には、室内照明装置の発光輝度を上げることにより、室内光強度値が目標光強度値要求を満たすようにすることができる。
【００４９】
上記室内照明装置の照明パラメータを調整することは、所定の調整速度で室内照明装置の発光輝度を上げ、上げる過程において、室内光強度値をリアルタイムに検出し、室内光強度値が目標光強度値を満たすことが検出された場合に、室内照明装置の発光輝度が現在の輝度であるように制御することができることと、室内光強度値と目標光強度値とに基づいて、室内照明装置の発光輝度の調整値を決定し、直接に該調整値に基づいて室内照明装置の発光輝度を調整して、室内光強度値が目標光強度値要求を満たすようにすることができることと、を含む。
【００５０】
本開示の実施例が提供する技術案は、以下のような有益な効果を含むことができる。カーテンを完全に上げた後、室内光強度値が依然として目標光強度値要求より小さい場合に、さらに室内照明装置の発光輝度を調整することにより、室内光強度値が目標光強度値要求を満たすように効果的に調整することができる。
【００５１】
一実施例において、光強度調整装置が室内照明装置を含む場合に、室内光強度値と目標光強度値との関係に基づいて、直接に室内照明装置の照明パラメータを調整して、室内光強度値が目標光強度値要求を満たすようにする。室内照明装置の照明パラメータが既に限界値まで調整されても、室内光強度値が依然として目標光強度値と異なっている場合に、さらに、カーテンの開閉状態を調整して、室内光強度値が目標光強度値要求を満たすようにすることが出来る。
【００５２】
一実施例において、上記ステップＳ１０１は、
室内で作動している電気機器を取得するステップｃ１と、
室内で作動している電気機器の中に、電気機器候補と電気機器候補が作動する時に必要とされる目標光強度値要求とのマッピング関係が含まれる対象調整テーブル中の電気機器候補と同一の電気機器が存在することが検出された場合に、室内で作動している電気機器のうち、対象調整テーブル中の電気機器候補と同一の電気機器が対象電気機器であると決定するステップｃ２と、
対象調整テーブルから、対象電気機器に対応する目標光強度値要求を取得するステップｃ３と、を含んでもよい。
【００５３】
ここで、コントローラにより室内で作動している電気機器を取得することができる。この場合、コントローラは、室内の電気機器と情報のインタラクションを行うことにより、室内で作動している電気機器を取得する。例えば、室内の電気機器が作動する時に、該電気機器は、主動的に該電気機器の作動開始を通知する通知情報をコントローラに送信して、コントローラが室内で作動している電気機器を取得させることができる。
【００５４】
室内に複数種類の電気機器が同時に作動している可能性があり、各電気機器が全て光強度に影響されるわけではないので、室内で作動している電気機器のうち、光強度に影響される対象電気機器を抽出し、該種類の対象電気機器の目標光強度値要求に基づいて室内光強度値を調整する。
【００５５】
１つの対象調整テーブルを予め設定し、該対象調整テーブルには、各電気機器候補と各電気機器候補が作動する時に必要とされる目標光強度値要求とのマッピング関係が含まれている。室内で作動している電気機器を取得した後、該対象調整テーブル中の電気機器候補から、室内で作動している電気機器と同一の電気機器を検索し、該電気機器が対象電気機器であり、該対象調整テーブルから該対象電気機器に対応する目標光強度値要求を取得する。
【００５６】
一実施例において、対象調整テーブルは、表１に示すように、表１には、テレビ及びプロジェクタである２種類の電気機器候補が含まれ、テレビの目標光強度値要求が目標光強度値Ａであり、プロジェクタの目標光強度値要求が目標光強度値Ｂである。この場合、取得された室内で作動している電気機器がテレビ、冷蔵庫、及び洗濯機である。室内で作動している電気機器に基づいて、表１中の電気機器候補から検索した後、対象電気機器がテレビであると決定し、表１からテレビの目標光強度値要求である目標光強度値Ａを取得する。
【表１】
0006771561.tif 000002
【００５７】
他の一実施例において、対象調整テーブルは、表２に示すように、表２には、テレビ及びプロジェクタである２種類の電気機器候補が含まれ、テレビの目標光強度値要求が目標光強度値Ａと等しく、プロジェクタの目標光強度値要求が目標光強度値Ｂ以下である。
【表２】
0006771561.tif 000003
【００５８】
例示的には、取得された室内で作動している電気機器がテレビ、冷蔵庫、及び洗濯機であり、室内で作動している電気機器に基づいて、表１中の電気機器候補から検索した後、対象電気機器がテレビであると決定し、表１からテレビの目標光強度値要求が目標光強度値Ａと等しいことを取得する。さらに、室内光強度値を採取する。この場合、上記ステップＳ１０３は、室内光強度値と目標光強度値要求とに基づいて、室内における光強度調整装置を調整して、室内光強度値が目標光強度値Ａと等しいようにするステップとして実施されてもよい。
【００５９】
なお、目標光強度値を決定する上記過程は、ローカルコントローラにおいて達成されてもよいし、サーバにより達成されもよい。サーバにより達成される場合に、取得された室内で作動している電気機器をサーバに送信する必要がある。本開示は、これを限定しない。
【００６０】
本開示の実施例が提供する技術案は、以下のような有益な効果を含むことができる。対象調整テーブルにより、対象電気機器及び対象電気機器に対応する目標光強度値要求を決定し、室内光強度値の調整効率を上げることができる。
【００６１】
一実施例において、上記対象調整テーブルは、ビッグデータから取得されるものであってもよい。ビッグデータから取得されるものであれば、対象調整テーブルに含まれる電気機器候補の数は、ユーザの室内の現在の電気機器数より多いことになる。これにより、上記対象調整テーブルにより対象電気機器を決定する時間が増え、上記対象調整テーブルにより対象電気機器を決定する時間を減らすために、上記方法は、
光強度に影響される全ての電気機器と各電気機器に対応する目標光強度値要求とが含まれる所定の調整テーブルを取得するステップｄ１と、
室内の全ての電気機器を取得するステップｄ２と、
全ての電気機器のうち、所定の調整テーブルに含まれる電気機器候補を検出するステップｄ３と、
電気機器候補と所定の調整テーブルとに基づいて対象調整テーブルを取得するステップｄ４と、をさらに含む。
【００６２】
対象調整テーブルを取得する上記過程は、ローカルコントローラにおいて達成されてもよいし、サーバにより達成されてもよい。サーバにより達成される場合に、本開示は、これを限定しない。
【００６３】
上記所定の調整テーブルは、ビッグデータから取得されるものであってもよい。該所定の調整テーブルには、全ての光強度に影響される電気機器と各電気機器に対応する目標光強度値要求とが含まれる。所定の調整テーブルを取得した後、室内の全ての電気機器を取得し、室内の電気機器のうち、所定の調整テーブルに含まれる電気機器を検出し、所定の調整テーブルに含まれる電気機器の目標光強度値要求を取得し、所定の調整テーブルに含まれる電気機器と所定の調整テーブルに含まれる電気機器の目標光強度値要求とで上記対象調整テーブルを作成する。
【００６４】
本開示の実施例が提供する技術案は、以下のような有益な効果を含むことができる。室内の電気機器のみを含む対象調整テーブルを作成することにより、対象調整テーブルから目標光強度値要求を取得する効率を向上させることができる。
【００６５】
図６は、例示的な実施例２による室内光強度調整方法を示すフローチャートであり、図６に示すように、該方法は、
光強度に影響される全ての電気機器と各電気機器に対応する目標光強度値要求とが含まれる所定の調整テーブルを取得するステップＳ２０１と、
室内の全ての電気機器を取得するステップＳ２０２と、
全ての電気機器のうち、所定の調整テーブルに含まれる電気機器候補を検出するステップＳ２０３と、
電気機器候補と所定の調整テーブルとに基づいて、対象調整テーブルを取得するステップＳ２０４と、
室内で作動している電気機器を取得するステップＳ２０５と、
室内で作動している電気機器の中に、電気機器候補と電気機器候補が作動する時に必要とされる目標光強度値要求とのマッピング関係が含まれる対象調整テーブル中の電気機器候補と同一の電気機器が存在することが検出された場合に、室内で作動している電気機器のうち、対象調整テーブル中の電気機器候補と同一の電気機器が対象電気機器であると決定するステップＳ２０６と、
対象調整テーブルから、対象電気機器に対応する目標光強度値要求を取得するステップＳ２０７と、
室内光強度値を採取するステップＳ２０８と、
室内光強度値が目標光強度値より大きいか否かを検出し、室内光強度値が目標光強度値より大きいことが検出された場合に、ステップＳ２０１０〜Ｓ２０１１を実行し、室内光強度値が目標光強度値より小さいことが検出された場合に、ステップＳ２０１２〜Ｓ２０１３を実行するステップＳ２０９と、
カーテンを所定の規則に従って閉じるように制御するステップＳ２０１０と、
カーテンを閉じる過程において、調整された室内光強度値を検出し、調整された室内光強度値が目標光強度値要求より大きくないことが検出された場合に、カーテンが現在の状態を維持するように制御するステップＳ２０１１と、
カーテンを所定の規則に従って開くように制御するステップＳ２０１２と、
カーテンを開く過程において、調整された室内光強度値を検出し、調整された室内光強度値が目標光強度値要求と等しいことが検出された場合に、カーテンが現在の状態を維持するように制御するステップＳ２０１３と、を含む。
【００６６】
下記が本開示の装置実施例であり、本開示の方法の実施例を実行する。
【００６７】
図７は、例示的な一実施例による室内光強度調整装置を示すブロック図である。該装置は、ソフトウェア、ハードウェア又は二者の組み合わせにより、電気機器の一部又は全部を構成する。図７に示すように、該室内光強度調整装置は、
室内に光強度に影響される対象電気機器が作動しているか否かを検出する検出モジュール１１と、
前記検出モジュール１１により室内に光強度に影響される対象電気機器が作動していることが検出された場合に、前記対象電気機器が作動する時の目標光強度値要求を取得する第１の取得モジュール１２と、
室内光強度値を採取する採取モジュール１３と、
前記採取モジュール１３によって採取された前記室内光強度値と前記第１の取得モジュール１２によって取得された前記目標光強度値要求とに基づいて、室内の光強度を変更するための前記室内における光強度調整装置を調整して、前記室内光強度値が前記目標光強度値要求を満たすようにする調整モジュール１４と、含む。
【００６８】
一実施例において、図８に示すように、前記光強度調整装置はカーテンを含み、前記調整モジュール１４は、第１の検出サブモジュール１４１と、第１の制御サブモジュール１４２と、第２の検出サブモジュール１４３と、第２の制御サブモジュール１４４と、を含む。
前記第１の検出サブモジュール１４１は、前記採取モジュール１３よって採取された前記室内光強度値が前記目標光強度値より大きいか否かを検出する。
前記第１の制御サブモジュール１４２は、前記第１の検出サブモジュール１４１によって検出された前記室内光強度値が前記目標光強度値より大きい場合に、前記カーテンを所定の規則に従って閉じるように制御する。
前記第２の検出サブモジュール１４３は、前記カーテンを閉じる過程において、調整された室内光強度値を検出する。
前記第２の制御サブモジュール１４４は、前記第２の検出サブモジュール１４３により調整された室内光強度値が前記目標光強度値要求を満たすことが検出された場合に、前記カーテンが現在の状態を維持するように制御し、前記目標光強度値要求を満たすとは、調整された室内光強度値が前記目標光強度値要求より大きくないことである。
【００６９】
一実施例において、図９に示すように、前記調整モジュール１４は、第３の制御サブモジュール１４５と、第３の検出サブモジュール１４６と、第４の制御サブモジュール１４７と、を含む。
前記第３の制御サブモジュール１４５は、前記第１の検出サブモジュール１４１により前記室内光強度値が前記目標光強度値より小さいことが検出された場合に、室内のカーテンを所定の規則に従って開くように制御する。
前記第３の検出サブモジュール１４６は、前記カーテンを開く過程において、調整された室内光強度値を検出する。
前記第４の制御サブモジュール１４７は、前記第３の検出サブモジュール１４６により調整された室内光強度値が前記目標光強度値要求を満たすことが検出された場合に、前記カーテンが現在の状態を維持するように制御し、前記目標光強度値要求を満たすとは、調整された室内光強度値が前記目標光強度値要求より小さくないことである。
【００７０】
一実施例において、図１０に示すように、前記検出モジュール１１は、第１の取得サブモジュール１１１と第４の検出サブモジュール１１２とを含み、前記第１の取得モジュール１２は、決定サブモジュール１２１と第２の取得サブモジュール１２２とを含む。
前記第１の取得サブモジュール１１１は、室内で作動している電気機器を取得する。
前記第４の検出サブモジュール１１２は、前記第１の取得サブモジュール１１１によって取得された前記室内で作動している電気機器の中に、対象調整テーブル中の電気機器候補と同一の電気機器が存在するか否かを検出する。
前記決定サブモジュール１２１は、第４の検出サブモジュール１１２により前記室内で作動している電気機器の中に、対象調整テーブル中の電気機器候補と同一の電気機器が存在することが検出された場合に、前記室内で作動している電気機器のうち、対象調整テーブル中の電気機器候補と同一の電気機器が前記対象電気機器であると決定し、前記対象調整テーブルには、前記電気機器候補と前記電気機器候補が作動する時に必要とされる目標光強度値要求とのマッピング関係が含まれる。
前記第２の取得サブモジュール１２２は、前記対象調整テーブルから、前記決定サブモジュール１２１によって決定された前記対象電気機器に対応する目標光強度値要求を取得する。
【００７１】
一実施例において、図１１に示すように、前記検出モジュール１１は、第３の取得サブモジュール１１３と、第４の取得サブモジュール１１４と、第５の検出サブモジュール１１５と、第５の取得サブモジュール１１６と、をさらに含む。
前記第３の取得サブモジュール１１３は、光強度に影響される全ての電気機器と各電気機器に対応する目標光強度値要求とが含まれる所定の調整テーブルを取得する。
前記第４の取得サブモジュール１１４は、室内の全ての電気機器を取得する。
前記第５の検出サブモジュール１１５は、前記第４の取得サブモジュール１１４によって取得された前記全ての電気機器のうち、前記第３の取得サブモジュール１１３によって取得された前記所定の調整テーブルに含まれる電気機器候補を検出する。
前記第５の取得サブモジュール１１６は、前記第５の検出サブモジュール１１５によって取得された前記電気機器候補と前記第３の取得サブモジュール１４３によって取得された前記所定の調整テーブルとに基づいて、対象調整テーブルを取得する。
【００７２】
本開示の実施例の第３の側面によれば、室内光強度調整装置を提供し、該室内光強度調整装置は、
プロセッサと、
プロセッサが実行可能な命令を記憶するメモリと、を含み、
ここで、プロセッサは、
室内に光強度に影響される対象電気機器が作動していることが検出された場合に、前記対象電気機器が作動する時の目標光強度値要求を取得し、
室内光強度値を採取し、
前記室内光強度値と前記目標光強度値要求とに基づいて、室内の光強度を変更するための前記室内における光強度調整装置を調整して、前記室内光強度値が前記目標光強度値要求を満たすようにするように構成される。
【００７３】
上記プロセッサは、さらに、
前記光強度調整装置が、カーテンを含み、前記室内光強度値と前記目標光強度値要求とに基づいて、室内における光強度調整装置を調整して、前記室内光強度値を前記目標光強度値にすることが、
前記室内光強度値が前記目標光強度値より大きいか否かを検出することと、
前記室内光強度値が前記目標光強度値より大きいことが検出された場合に、前記カーテンを所定の規則に従って閉じるように制御することと、
前記カーテンを閉じる過程において、調整された室内光強度値を検出し、調整された室内光強度値が前記目標光強度値要求を満たすことが検出された場合に、前記カーテンが現在の状態を維持するように制御し、前記目標光強度値要求を満たすとは、調整された室内光強度値が前記目標光強度値要求より大きくないことであることと、を含むように構成されてもよい。
【００７４】
前記方法は、
前記室内光強度値が前記目標光強度値より小さいことが検出された場合に、室内のカーテンを所定の規則に従って開くように制御するステップと、
前記カーテンを開く過程において、調整された室内光強度値を検出し、調整された室内光強度値が前記目標光強度値要求を満たすことが検出された場合に、前記カーテンが現在の状態を維持するように制御するステップと、をさらに含み、前記目標光強度値要求を満たすとは、調整された室内光強度値が前記目標光強度値要求より小さくないことである。
【００７５】
室内に光強度に影響される対象電気機器が作動していることが検出された場合に、前記対象電気機器が作動する時に必要とされる目標光強度値要求を取得するステップは、
室内で作動している電気機器を取得するステップと、
前記室内で作動している電気機器の中に、電気機器候補と前記電気機器候補が作動する時に必要とされる目標光強度値要求とのマッピング関係が含まれる対象調整テーブル中の電気機器候補と同一の電気機器が存在することが検出された場合に、室内で作動している電気機器のうち、対象調整テーブル中の電気機器候補と同一の電気機器が前記対象電気機器であると決定するステップと、
前記対象調整テーブルから、前記対象電気機器に対応する目標光強度値要求を取得するステップと、を含む。
【００７６】
前記方法は、
光強度に影響される全ての電気機器と各電気機器に対応する目標光強度値要求とが含まれる所定の調整テーブルを取得するステップと、
室内の全ての電気機器を取得するステップと、
前記全ての電気機器のうち、前記所定の調整テーブルに含まれる電気機器候補を検出するステップと、
前記電気機器候補と前記所定の調整テーブルとに基づいて、対象調整テーブルを取得するステップと、をさらに含む。
【００７７】
上記実施例における装置について、その中の各モジュールが操作を実行する具体的な方式は、既に関連該方法の実施例において詳細に説明したので、ここでは、詳しく説明しない。
【００７８】
図１２は、例示的な一実施例による室内光強度調整装置８０を示すブロック図であり、該装置は、端末装置に適する。
【００７９】
装置８０は、プロセッサユニット８０２、メモリ８０４、電源ユニット８０６、マルチマルチメディアユニット８０８、オーディオユニット８１０、入力／出力（Ｉ／Ｏ）インターフェース８１２、センサユニット８１４、及び通信ユニット８１６のうち１つ又は複数を含んでもよい。
【００８０】
プロセッサユニット８０２は、通常、装置８０の全体の操作、例えば、表示、電話の呼び出し、データ通信、カメラ操作、及び記録操作に関連する操作を制御する。プロセッサユニット８０２は、上記方法の全部又は一部のステップを達成するために、命令を実行する１つ又は複数のプロセッサ８２０を含むことができる。また、プロセッサユニット８０２は、プロセッサユニット８０２と他のユニットとの間のインタラクションを容易にするために、１つ又は複数のモジュールを含むことができる。例えば、プロセッサユニット８０２は、マルチメディアユニット８０８とプロセッサユニット８０２との間のインタラクションを容易にするために、マルチメディアモジュールを含むことができる。
【００８１】
メモリ８０４は、各タイプのデータを記憶して装置８０での操作をサポートするように構成される。これらのデータの例は、装置８０で操作するためのあらゆるアプリケーションプログラム又は方法の命令、連絡者データ、電話帳データ、メッセージ、ピクチャ、及びビデオなどを含む。メモリ８０４は、スタティックランダムアクセスメモリ（ＳＲＡＭ）、電気的消去可能プログラマブル読み出し専用メモリ（ＥＥＰＲＯＭ）、消去可能プログラマブル読み出し専用メモリ（ＥＰＲＯＭ）、プログラム可能な読み出し専用メモリ（ＰＲＯＭ）、読み出し専用メモリ（ＲＯＭ）、磁気メモリ、フラッシュメモリ、ディスク又は光ディスクのような、任意のタイプの揮発性又は非揮発性記憶装置又はこれらの組合せによって実現することができる。
【００８２】
電源ユニット８０６は、装置８０の各ユニットに電力を提供する。電源ユニット８０６は、電源管理システムと、１つ又は複数の電源と、装置８０の電力の生成、管理及び配分に関連する他のユニットとを含んでもよい。
【００８３】
マルチメディアユニット８０８は、前記装置８０とユーザとの間に１つの出力インターフェースを提供するスクリーンを含む。一部の実施例において、スクリーンは、液晶ディスプレイ（LＣＤ）とタッチパネル（ＴＰ）とを含んでもよい。スクリーンがタッチパネルを含む場合に、スクリーンは、タッチスクリーンとして実現されてユーザからの入力信号を受信することができる。タッチパネルは、タッチパネルをタッチ及びスライドするジェスチャを感知する１つ又は複数のタッチセンサを含む。前記タッチセンサは、タッチ又はスライド動作のエッジを感知することができるほか、前記タッチ又はスライド操作に関する持続時間及び圧力を感知することができる。一部の実施例において、マルチメディアユニット８０８は、フロントカメラ及び/又はバックカメラを含む。装置８０が操作モードにあり、例えば、撮影モード又はビデオモードにある場合に、フロントカメラ及び/又はバックカメラは、外部のマルチメディアのデータを受信することができる。各フロントカメラ及びバックカメラは、１つの固定的な光学レンズシステムであり、又は焦点距離と光学ズーム機能を備えていてもよい。
【００８４】
オーディオユニット８１０は、オーディオ信号を出力及び/又は入力するように構成される。例えば、オーディオユニット８１０は、１つのマイク（ＭＩＣ）を含む。装置８０が操作モード、例えば、呼び出しモード、記録モード及び音声認識モードにある場合に、マイクは、外部のオーディオ信号を受信するように構成される。受信したオーディオ信号は、さらにメモリ８０４に記憶され、又は通信ユニット８１６を介して送信される。一部の実施例において、オーディオユニット８１０は、オーディオ信号を出力する１つのスピーカをさらに含む。
【００８５】
Ｉ／Ｏインターフェース８１２は、プロセッサユニット８０２とペリフェラルインターフェースモジュールとの間にインターフェースを提供する。上記ペリフェラルインターフェースモジュールは、キーボード、クリックホイール、ボタンなどであってもよい。これらのボタンは、ホームボタン、音量ボタン、開始ボタン、及びロックボタンなどを含むが、これらに限定されない。
【００８６】
センサユニット８１４は、各方面の状態評価を装置８０に提供する１つ又は複数のセンサを含む。例えば、センサユニット８１４は、装置８０のオン／オフ状態、及びユニットの相対的位置決めを検出することができ、前記ユニットは、例えば、装置８０のディスプレイ及びキーパッドである。センサユニット８１４は、さらに、装置８０又は装置８０の１つユニットの位置変化、ユーザと装置８０との接触あり又はなし、装置８０の方位又は加速／減速、及び装置８０の温度変化を検出することができる。センサユニット８１４は、いずれの物理的接触なしで近くの物体の存在を検出するように構成される近接センサを含むことができる。センサユニット８１４は、光センサ、例えば、結像応用に使用されるＣＭＯＳ又はＣＣＤイメージセンサをさらに含むことができる。一部の実施例において、該センサユニット８１４は、加速度センサ、ジャイロセンサ、磁気センサ、圧力センサ、又は温度センサを含むことができる。
【００８７】
通信ユニット８１６は、装置８０と他の装置との間の有線又は無線通信を容易にするように構成される。装置８０は、例えば、ＷｉＦｉ、２Ｇ又は３Ｇ、又はそれらの組み合わせなどの通信規格に基づいた無線ネットワークにアクセスすることができる。例示的な一実施例において、通信ユニット８１６は、ブロードキャストチャネルを介して外部のブロードキャスト管理システムからのブロードキャスト信号又はブロードキャスト関連情報を受信する。例示的な一実施例において、前記通信ユニット８１６は、短距離通信を容易にするための近距離通信（ＮＦＣ）モジュールをさらに含む。例えば、ＮＦＣモジュールは、無線周波数識別（ＲＦＩＤ）技術、赤外線データ結合（ＩｒＤＡ）技術、超広帯域（ＵＷＢ）技術、ブルートゥース（ＢＴ）技術、及び他の技術に基づいて、実現することができる。
【００８８】
例示的な実施例において、装置８０は、上記方法を実行するために、１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ、又は他の電子ユニットによって実現することができる。
【００８９】
例示的な実施例において、命令を含む非一時的なコンピュータ読み取り可能な記憶媒体、例えば、命令を含むメモリ８０４も提供され、上記命令が、装置８０のプロセッサ８２０によって実行されることにより、上記方法を実行することができる。例えば、非一時的なコンピュータ読み取り可能な記憶媒体は、ＲＯＭ、ランダムアクセスメモリ（ＲＡＭ）、ＣＤ−ＲＯＭ、磁気テープ、フロッピーディスク、光データ記憶装置などであってもよい。
【００９０】
非一時的なコンピュータ読み取り可能な記憶媒体であって、前記記憶媒体中の命令が装置８０のプロセッサによって実行される場合に、装置８０が上記室内光強度調整方法を実行することができ、前記方法は、
室内に光強度に影響される対象電気機器が作動していることが検出された場合に、前記対象電気機器が作動する時の目標光強度値要求を取得するステップと、
室内光強度値を採取するステップと、
前記室内光強度値と前記目標光強度値要求とに基づいて、室内の光強度を変更するための前記室内における光強度調整装置を調整して、前記室内光強度値が前記目標光強度値要求を満たすようにするステップと、を含む。
【００９１】
前記光強度調整装置は、カーテンを含み、前記室内光強度値と前記目標光強度値要求とに基づいて、前記室内における光強度調整装置を調整して、前記室内光強度値を前記目標光強度値にするステップは、
前記室内光強度値が前記目標光強度値より大きいか否かを検出するステップと、
前記室内光強度値が前記目標光強度値より大きいことが検出された場合に、前記カーテンを所定の規則に従って閉じるように制御するステップと、
前記カーテンを閉じる過程において、調整された室内光強度値を検出し、調整された室内光強度値が前記目標光強度値要求を満たすことが検出された場合に、前記カーテンが現在の状態を維持するように制御するステップと、を含み、前記目標光強度値要求を満たすとは、調整された室内光強度値が前記目標光強度値要求より大きくないことである。
【００９２】
前記方法は、
前記室内光強度値が前記目標光強度値より小さいことが検出された場合に、室内のカーテンを所定の規則に従って開くように制御するステップと、
前記カーテンを開く過程において、調整された室内光強度値を検出し、調整された室内光強度値が前記目標光強度値要求を満たすことが検出された場合に、前記カーテンが現在の状態を維持するように制御するステップと、をさらに含み、前記目標光強度値要求を満たすとは、調整された室内光強度値が前記目標光強度値要求より小さくないことである。
【００９３】
室内に光強度に影響される対象電気機器が作動していることが検出された場合に、前記対象電気機器が作動する時に必要とされる目標光強度値要求を取得するステップは、
室内で作動している電気機器を取得するステップと、
前記室内で作動している電気機器の中に、電気機器候補と前記電気機器候補が作動する時に必要とされる目標光強度値要求とのマッピング関係が含まれる対象調整テーブル中の電気機器候補と同一の電気機器が存在することが検出された場合に、前記室内で作動している電気機器のうち、対象調整テーブル中の電気機器候補と同一の電気機器が前記対象電気機器であると決定するステップと、
前記対象調整テーブルから、前記対象電気機器に対応する目標光強度値要求を取得するステップと、を含む。
【００９４】
前記方法は、
光強度に影響される全ての電気機器と各電気機器に対応する目標光強度値要求とが含まれる所定の調整テーブルを取得するステップと、
室内の全ての電気機器を取得するステップと、
前記全ての電気機器のうち、前記所定の調整テーブルに含まれる電気機器候補を検出するステップと、
前記電気機器候補と前記所定の調整テーブルとに基づいて、対象調整テーブルを取得するステップと、をさらに含む。
【００９５】
当業者は、本明細書および本明細書に開示された開示の実施を考慮すると、本開示の他の実施案を容易に想到することができる。本出願は、本開示の一般的原理に従う本開示のあらゆる変形、用途、又は適応的な変更を含み、しかも、本開示によって開示されていないこの技術分野における周知知識又は慣用技術手段を含むことを主旨とする。明細書及び実施例は、単に例示するものであり、本開示の本当の範囲及び精神は、以下の特許請求の範囲によって示される。
【００９６】
なお、本開示は、上記説明及び図面に示されている厳密な構成に限定されず、その範囲から逸脱しない範囲において、様々な修正及び変更を行うことができる。本開示の範囲は、下記の特許請求の範囲のみによって限定される。
【図１】
0006771561.tif 000004
【図２】
0006771561.tif 000005
【図３】
0006771561.tif 000006
【図４】
0006771561.tif 000007
【図５】
0006771561.tif 000008
【図６】
0006771561.tif 000009
【図７】
0006771561.tif 000010
【図８】
0006771561.tif 000011
【図９】
0006771561.tif 000012
【図１０】
0006771561.tif 000013
【図１１】
0006771561.tif 000014
【図１２】
0006771561.tif 000015